(57)【要約】【課題】受枠を取り外すことなく、受枠を僅か高さ上方へ持ち上げて受枠の高さ調整作業を実現する。【解決手段】マンホール最上段部材の該載置部に受枠固定用ボルトを立設し、該載置部の上面に高さ調整部材を介在させて受枠を載置して所定固定手段で固定し、鉄蓋を嵌着するマンホールであって、受枠固定用ボルトは、載置部の上面を円周方向に３等分した各位置に立設し、前記調整部材は、載置部の上面を円周方向に３分割した扇形状の調整板に形成すると共に、該調整板の径方向両端部に切欠を設けた構成とし、該調整板を載置部の上面に円形状に組み合わせて配置して成る。【選択図】図１
2005171709.tif 000002
【特許請求の範囲】
【請求項１】
上端部に円形の開口部を形成した載置部を有するマンホール最上段部材の該載置部に受枠固定用ボルトを立設し、該載置部の上面に高さ調整部材を介在させて受枠を載置して所定固定手段で固定し、鉄蓋を嵌着するマンホールであって、
前記受枠固定用ボルトは、載置部の上面を円周方向に３等分した各位置に立設し、前記調整部材は、載置部の上面を円周方向に３分割した扇形状の調整板に形成すると共に、該調整板の径方向両端部に受枠固定用ボルトの直径よりやや大きい径の切欠を設けた構成とし、該調整板を載置部の上面に円形状に組み合わせて配置して成るマンホール。
【請求項２】
上端部に円形の開口部を形成した載置部を有するマンホール最上段部材の該載置部に受枠固定用ボルトを立設し、該載置部の上面に高さ調整部材を介在させて受枠を載置して所定固定手段で固定し、鉄蓋を嵌着するマンホールであって、
前記受枠固定用ボルトは、載置部の上面を円周方向に３等分した各位置に立設し、前記調整部材は、載置部の上面を円周方向に２分割した一対の半円形状の一方調整板と他方調整板に形成し、両調整板を円形に組み付けて円周方向に６分割した位置に切欠を設け、さらに両調整板の周径方向両端部に接合部を形成し、該一対の両調整板を載置部の上面に円形状に組み合わせて配置して成るマンホール。
【請求項３】
切欠は、切欠溝方向を平行に配置形成した請求項２記載のマンホール。
【請求項４】
切欠は、放射状に配置形成した請求項２記載のマンホール。
【請求項５】
接合部は、組み付け容易な噛み合わせ状に形成した請求項２記載のマンホール。
【請求項６】
調整部材は、主原料がポリエチレンとポリプロピレンに硬化剤を混入した再生プラスチックで製作する請求項１、２記載のマンホール。
【発明の詳細な説明】
【技術分野】
【０００１】
本発明は、マンホールの鉄蓋を嵌着する受枠の高さ調整を行う下水道等のマンホールに関するものである。
【背景技術】
【０００２】
従来、マンホールの受枠の高さ調整には、ａ．マンホール最上段の斜壁上面の載置部に、円形の上下に分割した角度調整部材を使用しているもの（特許文献１〜５参照）、ｂ．鉄蓋と斜ブロックあるいは調整部材との間にモルタルを充填するもの（特許文献６参照）、ｃ．円形の薄い部材を積層させるもの等がある。
【特許文献１】特開昭５９−１８７９２４
【特許文献２】特開昭５９−１９２１３４
【特許文献３】特開平０８−４１９１６
【特許文献４】特開平０９−５３２４５
【特許文献５】実開昭６０−６６７４７
【特許文献６】実開平０８−３０２７１８
【発明の開示】
【発明が解決しようとする課題】
【０００３】
（１） 従来における受枠の高さ調整において、前記ｂ．の受枠と調整部材の間にモルタルを充填する構造の場合は、モルタル充填後にモルタルを硬化させ、所定の強度に達する迄、工事の車道や歩道等の交通を止める必要がある。
（２）また、マンホール設置後に鉄蓋を嵌める受枠高さの微調整が必要になった場合は、前記ａ．ｃ．の手段では、一旦、鉄蓋及び受枠をマンホール本体から取り外して円形部材を取り付けて受枠の高さ調整を行った後、マンホール本体に鉄蓋を取り付けなければならない。ｂ．の方法も受枠を取り外し、モルタルをハツリ取る等の手間が掛かる。従って鉄蓋を嵌着する受枠は重量があるため移動しにくく、作業性が悪いため、最も工事の多い、特に、例えば５ｍｍ〜４５ｍｍの高さの微調整を行うのが困難であった。
【０００４】
上記問題点に鑑み、本発明の解決しょうとする課題は、受枠を取り外すことなく、受枠を僅か高さ上方へ持ち上げて調整作業するだけで受枠の高さを調整可能なマンホールとする点である。
【課題を解決するための手段】
【０００５】
本発明の、請求項１に係るマンホールは、
上端部に円形の開口部を形成した載置部を有するマンホール最上段部材の該載置部に受枠固定用ボルトを立設し、該載置部の上面に高さ調整部材を介在させて受枠を載置して所定固定手段で固定し、鉄蓋を嵌着するマンホールであって、
前記受枠固定用ボルトは、載置部の上面を円周方向に３等分した各位置に立設し、前記調整部材は、載置部の上面を円周方向に３分割した扇形状の調整板に形成すると共に、該調整板の径方向両端部に受枠固定用ボルトの直径よりやや大きい径の切欠を設けた構成とし、該調整板を載置部の上面に円形状に組み合わせて配置して成るものである。
【０００６】
また、請求項２に係るマンホールは、
上端部に円形の開口部を形成した載置部を有するマンホール最上段部材の該載置部に受枠固定用ボルトを立設し、該載置部の上面に高さ調整部材を介在させて受枠を載置して所定固定手段で固定し、鉄蓋を嵌着するマンホールであって、
前記受枠固定用ボルトは、載置部の上面を円周方向に３等分した各位置に立設し、前記調整部材は、載置部の上面を円周方向に２分割した一対の半円形状の一方調整板と他方調整板に形成し、両調整板を円形に組み付けて円周方向に６分割した位置に切欠を設け、さらに両調整板の周径方向両端部に接合部を形成し、該一対の両調整板を載置部の上面に円形状に組み合わせて配置して成るものである。
【０００７】
請求項３に係る発明は、請求項２記載のマンホールにおいて、切欠は切欠溝方向を平行に配置形成したものである。
【０００８】
請求項４に係る発明は、請求項２記載のマンホールにおいて、切欠は放射状に配置形成したものである。
【０００９】
請求項５に係る発明は、請求項２記載のマンホールにおいて、接合部は、組み付け容易な噛み合わせ状に形成したものである。
【００１０】
請求項６に係る発明は、請求項１、２記載のマンホールにおいて、調整部材を形成する調整板体は、主原料がポリエチレンとポリプロピレンに硬化剤を混入した再生プラスチックで製作するものである。
【発明の効果】
【００１１】
本発明によれば、以下の効果を奏する。
請求項１、２の発明によれば、受枠の高さ調整は、相当の重量のある鉄蓋を取り付ける受枠を取り外すことなく、該受枠をジャッキ等所定冶具で僅かの高さ持ち上げた後、複数個の調整板をマンホール最上段部材の載置部上面と受枠間に挿着して円形に組み付ける作業だけで調整部材を取り付け、受枠の高さ微調整が出来る。
【００１２】
また、特に、従来は調整が面倒で、相当の熟練を必要とするような、工事の多い５ｍｍ〜４５ｍｍの高さ調整においても微調整が容易にできるものである。
【００１３】
さらに、調整板は取り外し、差し込が簡単かつ容易にできるため、調整板の交換も簡単かつ迅速にできる。
【００１４】
また、従来の、調整部材を配置した後モルタルを流し込んで固定する方式では、モルタル硬化まで時間を要し、モルタル硬化時間は交通を止めないと工事がじきなかったが、本発明の調整部材はモルタルを使用しないため、モルタル硬化時間交通を遮断する長時間道路の通行をとめる必要がなくなり、その結果工事を原因とする交通渋滞が解消出来る。
【００１５】
請求項３、４、５の発明によれば、一対の調整板は載置部の上面に容易に組み付けできる形状に構成されているため、組み付け及び取り付け作業性が優れているものである。
【００１６】
請求項６の発明によれば、調整部材は再生プラスチックス等で安価に製造できるため、工事費を安く提供できる。また、搬送時や運搬時においては軽量なため移動が容易であり、作業性が向上する。
【発明を実施するための最良の形態】
【００１７】
本発明の第１実施例（請求項１）を図１〜図２を参照して説明する。
本発明のマンホール１は、直璧３の上端には、上端部に円形の開口部２２を形成した載置部２１を有する、例えば斜壁等のマンホール最上段部材２が配置された。また、該マンホール最上段部材２上端載置部２１には受枠固定用ボルト４を立設し、該載置部２１の上面に高さ調整部材５を介在させて、受枠固定ボルト４が挿通するボルト孔８１を設けた受枠８を載置して、該受枠８を、ワッシャー１２、ナット９等の所定固定手段で固定し、鉄蓋１０を嵌着されている。
【００１８】
前記受枠固定用ボルト４は、載置部２１の上面２３を円周方向に３等分した各位置に立設されている。また、前記調整部材５は、載置部２１の上面２３を円周方向に３分割した扇形状の調整板５１に形成すると共に、該調整板５１の径方向両端部６に受枠固定用ボルト４の直径よりやや大きい径の切欠７を設けた構成とし、該調整板５１を載置部２１の上面２３に円形状に組み合わせて配置されている。
前記調整板５１は、５ｍｍ〜４５ｍｍの厚みの板状体を複数用意してもよく、又は複数の調整板５１を重ね合わせて所定の厚みにしてもよいものである。
【００１９】
上記構成のマンホールでは、載置部２１の上面２３に、円形状切欠７を受枠固定用ボルト４間に配置して、所定厚さの調整板５１を円形に複数個載置して調整部材５を載置する。この調整部材５の上にマンホール最上段部材２のボルトにボルト孔を通して受枠８を乗載し、ワッシャー１２、ナット９で固定する。
【００２０】
また、第２実施例（請求項２）を図３、図４を参照して説明する。
第２実施例のマンホール1の構造は、前記第１実施例と同様な構成であるので省略する。
【００２１】
また、受枠固定用ボルト４は、載置部２１の上面２３を円周方向に3等分した各位置に立設し、前記調整部材５は、載置部２１の上面２３を円周方向に２分割した一対の半円形状の一方調整板５２と他方調整体５３に形成されている。
また、両調整板５２、５３を円形に組み付けたて円周方向に６分割した位置に切欠５３を設け、さらに両調整板５２、５３の周径方向両端部に接合部１１を形成し、該一対の両調整板５２、５３を載置部２の上面２３に円形状に組み合わせて配置されている。
【００２２】
前記調整板５２、５３は、５ｍｍ〜４５ｍｍの厚みの板状体を複数用意してもよく、又は複数の調整板５２，５３を重ね合わせて所定の厚みにしてもよい。
上記構成のマンホールでは、載置部２１の上面２３に、円形状切欠７を受枠固定用ボルト４間に配置して、所定厚さの調整板５１を円形に複数個載置して調整部材５を載置する。この調整部材５の上にマンホール最上段部材２のボルトにボルト孔を通して受枠８を乗載し、ワッシャー１２、ナット９で固定する。
一方調整板５２の切欠５４に２箇所のボルト、他方調整板５３の切欠５４に１箇所にボルトを配置して取付けられている。
【００２３】
前記第１実施例、第２実施例における調整部材５は、再生プラスチックで製作され、この再生プラスチックは、廃電線被覆材、廃運搬用パレット、自治体の分別収集品等のプラスチック材をリサイクルした１００％プラスチック（主原料は、ボリエチレン＋ポリプロピレン＋硬化剤）を用いている。この材料は折れない、割れない、腐らない、錆びないという特徴、重量はコンクリートの約４割程度とされている。
【００２４】
第２実施例における切欠５４は、図４、図５のように、切欠溝方向を平行に配置形成したものである。また、この切欠５４は、図６，７，８のように内外側に開口を設けて放射状に配置してもよいものである。
【００２５】
また、第２実施例における両調整板５２，５３の接合部１１は、組み付けを確実にするために、図４〜図８のような噛み合わせ状に形成するのがよい。
【００２６】
図５の接合部１１は、係止凹部１２と係合凸部１３で形成されている。
【００２７】
図４の接合部１１は、カギ状部１４が形成されている。また、図８は接合部１１に受枠固定用ボルト４が嵌る半円状切欠１５が設けられている。
【図面の簡単な説明】
【００２８】
【図１】第１実施例の調整部材を取り付けた時のマンホール上部の分解斜視図。
【図２】第１実施例の（ａ）調整板の斜視図、（ｂ）調整板の平面図、（ｃ）調整部材の平面図、（ｄ）調整部材の組み付け状態図。
【図３】第２実施例の調整部材を取り付けた時のマンホール上部の分解斜視図。
【図４】第２実施例における他の実施例の、（ａ）調整板の斜視図、（ｂ）調整板の平面図、（ｃ）調整部材の平面図、（ｄ）調整部材の組み付け状態図。
【図５】第２実施例における他の実施例の、（ａ）調整板の斜視図、（ｂ）調整板の平面図、（ｃ）調整部材の平面図、（ｄ）調整部材の組み付け状態図。
【図６】第２実施例における他の実施例の、（ａ）調整板の斜視図、（ｂ）調整板の平面図、（ｃ）調整部材の平面図、（ｄ）調整部材の組み付け状態図。
【図７】第２実施例における他の実施例の、（ａ）調整板の斜視図、（ｂ）調整板の平面図、（ｃ）調整部材の平面図、（ｄ）調整部材の組み付け状態図。
【図８】第２実施例における他の実施例の、（ａ）調整板の斜視図、（ｂ）調整板の平面図、（ｃ）調整部材の平面図、（ｄ）調整部材の組み付け状態図。
【符号の説明】
【００２９】
１    マンホール
２    マンホール最上段部材
３    直壁
４    受枠固定用ボルト
５    調整部材
５１  調整板
５２  一方調整板
５３  他方調整板
６    切欠
７    端部
８    受枠
９    固定手段
１０  鉄蓋
１１  接合部
１２  ワッシャー
【図１】
2005171709.tif 000003
【図２】
2005171709.tif 000004
【図３】
2005171709.tif 000005
【図４】
2005171709.tif 000006
【図５】
2005171709.tif 000007
【図６】
2005171709.tif 000008
【図７】
2005171709.tif 000009
【図８】
2005171709.tif 000010